【手続補正書】
【提出日】平成21年9月11日(2009.9.11)
【手続補正１】
【補正対象書類名】特許請求の範囲
【補正対象項目名】全文
【補正方法】変更
【補正の内容】
【特許請求の範囲】
【請求項１】
複数の項目を表示部に並べて表示するように制御する表示制御手段と、
前記複数の項目のうちの一つを指示するための操作手段と、
回転操作されることによる前記操作手段の変位を検知する検知手段と、
前記検知手段によって変位を検知し、かつ、現在指示されている項目が前記複数の項目のうち検知した変位に対応する方向の端に配置された項目である場合に、該検知した変位が、指示する項目を前回変更した際から連続して行われている操作によるものであるか否かを判定する判定手段と、
前記検知手段によって変位を検知し、かつ、現在指示されている項目が前記複数の項目のうち検知した変位に対応する方向の端に配置された項目ではない場合に、該現在指示されている項目から該検知した変位に対応する方向の項目に指示する項目を変更し、
前記検知手段によって変位を検知し、かつ、現在指示されている項目が前記複数の項目のうち検知した変位に対応する方向の端に配置された項目である場合に、前記判定手段によって、該検知した変位が、指示する項目を前回変更した際から連続して行われている操作によるものであると判定すると、指示する項目を変更せず、
前記検知手段によって変位を検知し、かつ、現在指示されている項目が前記複数の項目のうち検知した変位に対応する方向の端に配置された項目である場合に、前記判定手段によって、該検知した変位が、指示する項目を前回変更した際から連続して行われている操作によるものではないと判定すると、前記複数の項目のうち該検知した変位に対応する方向と反対方向の端に配置された項目に指示する項目を変更するように制御する制御手段と
を有することを特徴とする表示制御装置。
【請求項２】
複数の項目を表示部に並べて表示するように制御する表示制御手段と、
前記複数の項目のうちの一つを指示するための操作手段と、
前記操作手段に対する接触位置の変位を検知する検知手段と、
前記検知手段によって変位を検知し、かつ、現在指示されている項目が前記複数の項目のうち検知した変位に対応する方向の端に配置された項目である場合に、該検知した変位が、指示する項目を前回変更した際から連続して行われている操作によるものであるか否かを判定する判定手段と、
前記検知手段によって変位を検知し、かつ、現在指示されている項目が前記複数の項目のうち検知した変位に対応する方向の端に配置された項目ではない場合に、該現在指示されている項目から該検知した変位に対応する方向の項目に指示する項目を変更し、
前記検知手段によって変位を検知し、かつ、現在指示されている項目が前記複数の項目のうち検知した変位に対応する方向の端に配置された項目である場合に、前記判定手段によって、該検知した変位が、指示する項目を前回変更した際から連続して行われている操作によるものであると判定すると、指示する項目を変更せず、
前記検知手段によって変位を検知し、かつ、現在指示されている項目が前記複数の項目のうち検知した変位に対応する方向の端に配置された項目である場合に、前記判定手段によって、該検知した変位が、指示する項目を前回変更した際から連続して行われている操作によるものではないと判定すると、前記複数の項目のうち該検知した変位に対応する方向と反対方向の端に配置された項目に指示する項目を変更するように制御する制御手段と
を有することを特徴とする表示制御装置。
【請求項３】
複数の項目を表示部に並べて表示するように制御する表示制御手段と、
前記複数の項目のうちの一つを指示するための操作手段と、
回転操作されることによる前記操作手段の変位を検知する検知手段と、
前記検知手段によって変位を検知し、かつ、現在指示されている項目が前記複数の項目のうち区切られた範囲内における、検知した変位に対応する方向の端に配置された項目である場合に、該検知した変位が、指示する項目を前回変更した際から連続して行われている操作によるものであるか否かを判定する判定手段と、
前記検知手段によって変位を検知し、かつ、現在指示されている項目が前記複数の項目のうち前記区切られた範囲内における、検知した変位に対応する方向の端に配置された項目ではない場合に、該現在指示されている項目から該検知した変位に対応する方向の項目に指示する項目を変更し、
前記検知手段によって変位を検知し、かつ、現在指示されている項目が前記複数の項目のうち前記区切られた範囲内における、検知した変位に対応する方向の端に配置された項目である場合に、前記判定手段によって、該検知した変位が、指示する項目を前回変更した際から連続して行われている操作によるものであると判定すると、指示する項目を変更せず、
前記検知手段によって変位を検知し、かつ、現在指示されている項目が前記複数の項目のうち前記区切られた範囲内における、検知した変位に対応する方向の端に配置された項目である場合に、前記判定手段によって、該検知した変位が、指示する項目を前回変更した際から連続して行われている操作によるものではないと判定すると、前記複数の項目のうち前記区切られた範囲を超えた項目に指示する項目を変更するように制御する制御手段と
を有することを特徴とする表示制御装置。
【請求項４】
複数の項目を表示部に並べて表示するように制御する表示制御手段と、
前記複数の項目のうちの一つを指示するための操作手段と、
前記操作手段に対する接触位置の変位を検知する検知手段と、
前記検知手段によって変位を検知し、かつ、現在指示されている項目が前記複数の項目のうち区切られた範囲内における、検知した変位に対応する方向の端に配置された項目である場合に、該検知した変位が、指示する項目を前回変更した際から連続して行われている操作によるものであるか否かを判定する判定手段と、
前記検知手段によって変位を検知し、かつ、現在指示されている項目が前記複数の項目のうち前記区切られた範囲内における、検知した変位に対応する方向の端に配置された項目ではない場合に、該現在指示されている項目から該検知した変位に対応する方向の項目に指示する項目を変更し、
前記検知手段によって変位を検知し、かつ、現在指示されている項目が前記複数の項目のうち前記区切られた範囲内における、検知した変位に対応する方向の端に配置された項目である場合に、前記判定手段によって、該検知した変位が、指示する項目を前回変更した際から連続して行われている操作によるものであると判定すると、指示する項目を変更せず、
前記検知手段によって変位を検知し、かつ、現在指示されている項目が前記複数の項目のうち前記区切られた範囲内における、検知した変位に対応する方向の端に配置された項目である場合に、前記判定手段によって、該検知した変位が、指示する項目を前回変更した際から連続して行われている操作によるものではないと判定すると、前記複数の項目のうち前記区切られた範囲を超えた項目に指示する項目を変更するように制御する制御手段と
を有することを特徴とする表示制御装置。
【請求項５】
前記複数の項目のうちの指示する項目を変更してからの時間を計測する計測手段を更に有し、
前記判定手段は、指示する項目の前回の変更から前記操作手段以外の他の操作手段が操作されておらず、かつ、前記検知手段によって変位を検知した際に前記計測手段による計測が所定時間に達していなかった場合に、該変位が、指示する項目の前回の変更から連続して行われている操作によるものであると判定することを特徴とする請求項１乃至４の何れか１項に記載の表示制御装置。
【請求項６】
前記判定手段は、指示する項目の前回の変更から前記操作手段以外の他の操作手段が操作されておらず、かつ、該前回の変更から前記操作手段への接触が継続したまま前記検知手段によって変位を検知した場合に、該変位が、指示する項目の前回の変更から連続して行われている操作によるものであると判定することを特徴とする請求項１乃至５の何れか１項に記載の表示制御装置。
【請求項７】
前記複数の項目のうちの一つを指示するための、前記操作手段とは異なる他の操作手段を更に有し、
前記他の操作手段が操作されると、前記制御手段は、現在指示されている項目が前記複数の項目のうち前記他の操作手段の操作に対応する方向の端に配置された項目である場合にも、前記判定手段の判定に関わらず、前記複数の項目のうち該操作に対応する方向と反対方向の端に配置された項目に指示する項目を変更するように制御することを特徴とする請求項１または２に記載の表示制御装置。
【請求項８】
前記検知手段は、前記操作手段上で接触したまま回転する操作の接触位置の変位を検知することを特徴とする請求項２または４に記載の表示制御装置。
【請求項９】
表示部に表示される複数の項目のうちの一つを指示するための操作手段を有する表示制御装置の制御方法であって、
複数の項目を前記表示部に並べて表示するように制御する表示制御ステップと、
回転操作されることによる前記操作手段の変位を検知する検知ステップと、
前記検知ステップによって変位を検知し、かつ、現在指示されている項目が前記複数の項目のうち検知した変位に対応する方向の端に配置された項目である場合に、該検知した変位が、指示する項目を前回変更した際から連続して行われている操作によるものであるか否かを判定する判定ステップと、
前記検知ステップによって変位を検知し、かつ、現在指示されている項目が前記複数の項目のうち検知した変位に対応する方向の端に配置された項目ではない場合に、該現在指示されている項目から該検知した変位に対応する方向の項目に指示する項目を変更し、
前記検知ステップによって変位を検知し、かつ、現在指示されている項目が前記複数の項目のうち検知した変位に対応する方向の端に配置された項目である場合に、前記判定ステップによって、該検知した変位が、指示する項目を前回変更した際から連続して行われている操作によるものであると判定すると、指示する項目を変更せず、
前記検知ステップによって変位を検知し、かつ、現在指示されている項目が前記複数の項目のうち検知した変位に対応する方向の端に配置された項目である場合に、前記判定ステップによって、該検知した変位が、指示する項目を前回変更した際から連続して行われている操作によるものではないと判定すると、前記複数の項目のうち該検知した変位に対応する方向と反対方向の端に配置された項目に指示する項目を変更するように制御する制御ステップと
を有することを特徴とする表示制御装置の制御方法。
【請求項１０】
表示部に表示される複数の項目のうちの一つを指示するための操作手段を有する表示制御装置の制御方法であって、
複数の項目を前記表示部に並べて表示するように制御する表示制御ステップと、
前記操作手段に対する接触位置の変位を検知する検知ステップと、
前記検知ステップによって変位を検知し、かつ、現在指示されている項目が前記複数の項目のうち検知した変位に対応する方向の端に配置された項目である場合に、該検知した変位が、指示する項目を前回変更した際から連続して行われている操作によるものであるか否かを判定する判定ステップと、
前記検知ステップによって変位を検知し、かつ、現在指示されている項目が前記複数の項目のうち検知した変位に対応する方向の端に配置された項目ではない場合に、該現在指示されている項目から該検知した変位に対応する方向の項目に指示する項目を変更し、
前記検知ステップによって変位を検知し、かつ、現在指示されている項目が前記複数の項目のうち検知した変位に対応する方向の端に配置された項目である場合に、前記判定ステップによって、該検知した変位が、指示する項目を前回変更した際から連続して行われている操作によるものであると判定すると、指示する項目を変更せず、
前記検知ステップによって変位を検知し、かつ、現在指示されている項目が前記複数の項目のうち検知した変位に対応する方向の端に配置された項目である場合に、前記判定ステップによって、該検知した変位が、指示する項目を前回変更した際から連続して行われている操作によるものではないと判定すると、前記複数の項目のうち該検知した変位に対応する方向と反対方向の端に配置された項目に指示する項目を変更するように制御する制御ステップと
を有することを特徴とする表示制御装置の制御方法。
【請求項１１】
表示部に表示される複数の項目のうちの一つを指示するための操作手段を有する表示制御装置の制御方法であって、
複数の項目を前記表示部に並べて表示するように制御する表示制御ステップと、
回転操作されることによる前記操作手段の変位を検知する検知ステップと、
前記検知ステップによって変位を検知し、かつ、現在指示されている項目が前記複数の項目のうち区切られた範囲内における、検知した変位に対応する方向の端に配置された項目である場合に、該検知した変位が、指示する項目を前回変更した際から連続して行われている操作によるものであるか否かを判定する判定ステップと、
前記検知ステップによって変位を検知し、かつ、現在指示されている項目が前記複数の項目のうち前記区切られた範囲内における、検知した変位に対応する方向の端に配置された項目ではない場合に、該現在指示されている項目から該検知した変位に対応する方向の項目に指示する項目を変更し、
前記検知ステップによって変位を検知し、かつ、現在指示されている項目が前記複数の項目のうち前記区切られた範囲内における、検知した変位に対応する方向の端に配置された項目である場合に、前記判定ステップによって、該検知した変位が、指示する項目を前回変更した際から連続して行われている操作によるものであると判定すると、指示する項目を変更せず、
前記検知ステップによって変位を検知し、かつ、現在指示されている項目が前記複数の項目のうち前記区切られた範囲内における、検知した変位に対応する方向の端に配置された項目である場合に、前記判定ステップによって、該検知した変位が、指示する項目を前回変更した際から連続して行われている操作によるものではないと判定すると、前記複数の項目のうち前記区切られた範囲を超えた項目に指示する項目を変更するように制御する制御ステップと
を有することを特徴とする表示制御装置の制御方法。
【請求項１２】
表示部に表示される複数の項目のうちの一つを指示するための操作手段を有する表示制御装置の制御方法であって、
複数の項目を前記表示部に並べて表示するように制御する表示制御ステップと、
前記操作手段に対する接触位置の変位を検知する検知ステップと、
前記検知ステップによって変位を検知し、かつ、現在指示されている項目が前記複数の項目のうち区切られた範囲内における、検知した変位に対応する方向の端に配置された項目である場合に、該検知した変位が、指示する項目を前回変更した際から連続して行われている操作によるものであるか否かを判定する判定ステップと、
前記検知ステップによって変位を検知し、かつ、現在指示されている項目が前記複数の項目のうち前記区切られた範囲内における、検知した変位に対応する方向の端に配置された項目ではない場合に、該現在指示されている項目から該検知した変位に対応する方向の項目に指示する項目を変更し、
前記検知ステップによって変位を検知し、かつ、現在指示されている項目が前記複数の項目のうち前記区切られた範囲内における、検知した変位に対応する方向の端に配置された項目である場合に、前記判定ステップによって、該検知した変位が、指示する項目を前回変更した際から連続して行われている操作によるものであると判定すると、指示する項目を変更せず、
前記検知ステップによって変位を検知し、かつ、現在指示されている項目が前記複数の項目のうち前記区切られた範囲内における、検知した変位に対応する方向の端に配置された項目である場合に、前記判定ステップによって、該検知した変位が、指示する項目を前回変更した際から連続して行われている操作によるものではないと判定すると、前記複数の項目のうち前記区切られた範囲を超えた項目に指示する項目を変更するように制御する制御ステップと
を有することを特徴とする表示制御装置の制御方法。
【請求項１３】
コンピュータを請求項１乃至８のいずれか１項に記載の表示制御装置の各手段として機能させるためのプログラム。
【請求項１４】
請求項１３に記載のプログラムを記憶したコンピュータにより読み取り可能な記憶媒体。
【手続補正２】
【補正対象書類名】明細書
【補正対象項目名】発明の名称
【補正方法】変更
【補正の内容】
【発明の名称】表示制御装置及びその制御方法
【手続補正３】
【補正対象書類名】明細書
【補正対象項目名】０００５
【補正方法】変更
【補正の内容】
【０００５】
そこで本発明では、回転部材のように連続入力が容易な操作部材で項目の指示操作を行った際にも、確実かつ素早く項目の指示が可能となる表示制御装置及びその制御方法を提供することを目的とする。
【手続補正４】
【補正対象書類名】明細書
【補正対象項目名】０００６
【補正方法】変更
【補正の内容】
【０００６】
上記課題を解決するために、本発明の請求項１は、
複数の項目を表示部に並べて表示するように制御する表示制御手段と、
前記複数の項目のうちの一つを指示するための操作手段と、
回転操作されることによる前記操作手段の変位を検知する検知手段と、
前記検知手段によって変位を検知し、かつ、現在指示されている項目が前記複数の項目のうち検知した変位に対応する方向の端に配置された項目である場合に、該検知した変位が、指示する項目を前回変更した際から連続して行われている操作によるものであるか否かを判定する判定手段と、
前記検知手段によって変位を検知し、かつ、現在指示されている項目が前記複数の項目のうち検知した変位に対応する方向の端に配置された項目ではない場合に、該現在指示されている項目から該検知した変位に対応する方向の項目に指示する項目を変更し、
前記検知手段によって変位を検知し、かつ、現在指示されている項目が前記複数の項目のうち検知した変位に対応する方向の端に配置された項目である場合に、前記判定手段によって、該検知した変位が、指示する項目を前回変更した際から連続して行われている操作によるものであると判定すると、指示する項目を変更せず、
前記検知手段によって変位を検知し、かつ、現在指示されている項目が前記複数の項目のうち検知した変位に対応する方向の端に配置された項目である場合に、前記判定手段によって、該検知した変位が、指示する項目を前回変更した際から連続して行われている操作によるものではないと判定すると、前記複数の項目のうち該検知した変位に対応する方向と反対方向の端に配置された項目に指示する項目を変更するように制御する制御手段と
を有することを特徴とする。
また、本発明の請求項２は、
複数の項目を表示部に並べて表示するように制御する表示制御手段と、
前記複数の項目のうちの一つを指示するための操作手段と、
前記操作手段に対する接触位置の変位を検知する検知手段と、
前記検知手段によって変位を検知し、かつ、現在指示されている項目が前記複数の項目のうち検知した変位に対応する方向の端に配置された項目である場合に、該検知した変位が、指示する項目を前回変更した際から連続して行われている操作によるものであるか否かを判定する判定手段と、
前記検知手段によって変位を検知し、かつ、現在指示されている項目が前記複数の項目のうち検知した変位に対応する方向の端に配置された項目ではない場合に、該現在指示されている項目から該検知した変位に対応する方向の項目に指示する項目を変更し、
前記検知手段によって変位を検知し、かつ、現在指示されている項目が前記複数の項目のうち検知した変位に対応する方向の端に配置された項目である場合に、前記判定手段によって、該検知した変位が、指示する項目を前回変更した際から連続して行われている操作によるものであると判定すると、指示する項目を変更せず、
前記検知手段によって変位を検知し、かつ、現在指示されている項目が前記複数の項目のうち検知した変位に対応する方向の端に配置された項目である場合に、前記判定手段によって、該検知した変位が、指示する項目を前回変更した際から連続して行われている操作によるものではないと判定すると、前記複数の項目のうち該検知した変位に対応する方向と反対方向の端に配置された項目に指示する項目を変更するように制御する制御手段と
を有することを特徴とする。
また、本発明の請求項３は、
複数の項目を表示部に並べて表示するように制御する表示制御手段と、
前記複数の項目のうちの一つを指示するための操作手段と、
回転操作されることによる前記操作手段の変位を検知する検知手段と、
前記検知手段によって変位を検知し、かつ、現在指示されている項目が前記複数の項目のうち区切られた範囲内における、検知した変位に対応する方向の端に配置された項目である場合に、該検知した変位が、指示する項目を前回変更した際から連続して行われている操作によるものであるか否かを判定する判定手段と、
前記検知手段によって変位を検知し、かつ、現在指示されている項目が前記複数の項目のうち前記区切られた範囲内における、検知した変位に対応する方向の端に配置された項目ではない場合に、該現在指示されている項目から該検知した変位に対応する方向の項目に指示する項目を変更し、
前記検知手段によって変位を検知し、かつ、現在指示されている項目が前記複数の項目のうち前記区切られた範囲内における、検知した変位に対応する方向の端に配置された項目である場合に、前記判定手段によって、該検知した変位が、指示する項目を前回変更した際から連続して行われている操作によるものであると判定すると、指示する項目を変更せず、
前記検知手段によって変位を検知し、かつ、現在指示されている項目が前記複数の項目のうち前記区切られた範囲内における、検知した変位に対応する方向の端に配置された項目である場合に、前記判定手段によって、該検知した変位が、指示する項目を前回変更した際から連続して行われている操作によるものではないと判定すると、前記複数の項目のうち前記区切られた範囲を超えた項目に指示する項目を変更するように制御する制御手段と
を有することを特徴とする。
また、本発明の請求項４は、
複数の項目を表示部に並べて表示するように制御する表示制御手段と、
前記複数の項目のうちの一つを指示するための操作手段と、
前記操作手段に対する接触位置の変位を検知する検知手段と、
前記検知手段によって変位を検知し、かつ、現在指示されている項目が前記複数の項目のうち区切られた範囲内における、検知した変位に対応する方向の端に配置された項目である場合に、該検知した変位が、指示する項目を前回変更した際から連続して行われている操作によるものであるか否かを判定する判定手段と、
前記検知手段によって変位を検知し、かつ、現在指示されている項目が前記複数の項目のうち前記区切られた範囲内における、検知した変位に対応する方向の端に配置された項目ではない場合に、該現在指示されている項目から該検知した変位に対応する方向の項目に指示する項目を変更し、
前記検知手段によって変位を検知し、かつ、現在指示されている項目が前記複数の項目のうち前記区切られた範囲内における、検知した変位に対応する方向の端に配置された項目である場合に、前記判定手段によって、該検知した変位が、指示する項目を前回変更した際から連続して行われている操作によるものであると判定すると、指示する項目を変更せず、
前記検知手段によって変位を検知し、かつ、現在指示されている項目が前記複数の項目のうち前記区切られた範囲内における、検知した変位に対応する方向の端に配置された項目である場合に、前記判定手段によって、該検知した変位が、指示する項目を前回変更した際から連続して行われている操作によるものではないと判定すると、前記複数の項目のうち前記区切られた範囲を超えた項目に指示する項目を変更するように制御する制御手段と
を有することを特徴とする。